(57)【要約】【課題】工場の量産工程やサービスセンターなどにおいて、ディジタル放送受信機の制御プログラムの書き込み又はアップデートを容易に行う。【解決手段】制御部２０のＩＤＥコネクタ２０Ａに、ＩＤＥケーブル２３を介して制御プログラムが記憶された外部記憶装置２２を接続可能とする。制御部１６は、電源投入直後に、ＩＤＥコネクタ２０Ａに含まれる端子のうち空き端子を利用して接続部２０に外部記憶装置２２が接続されているか否かを判断し、外部記憶装置２２が接続されている場合、外部記憶装置２２から制御プログラムを読み出して制御プログラム記憶部１８に書き込み、又は既存の制御プログラムを更新する。また、外部記憶装置２２が接続されていない場合、制御プログラム記憶部１８に記憶されている既存の制御プログラムを読み出し、読み出した制御プログラムに従って装置全体の制御を行う。【選択図】　図１
2004088511.tif 000002
【特許請求の範囲】
【請求項１】
放送局によって符号・圧縮され、送出されるディジタル放送信号を受信する受信手段と、受信手段により受信した放送信号を復号する復号手段と、復号された放送信号を画像表示装置に出力する出力手段と、装置全体を制御する制御プログラムを記憶するための書き換え可能な不揮発性の制御プログラム記憶手段と、電源投入直後に実行される基本プログラムを記憶する不揮発性の基本プログラム記憶手段と、基本プログラム又は制御プログラムに従って装置全体を制御する制御手段とを具備するディジタル放送受信機において、
ＩＤＥコネクタを含み、ＩＤＥケーブルを介して制御プログラムが記憶された外部記憶装置が接続される接続手段をさらに具備し、
前記制御手段は、電源投入直後に前記基本プログラムに従って、前記接続手段に外部記憶装置が接続されているか否かを、前記ＩＤＥコネクタに含まれる端子のうち外部記憶装置との間の信号の送受信に使用しない端子を利用して検出し、前記接続手段に外部記憶装置が接続されていると判断した場合に、前記外部記憶装置にアクセスして、前記外部記憶装置の所定のアドレスに記憶されている制御プログラムを読み出して、前記制御プログラム記憶手段に書き込み、又は前記制御プログラム記憶手段に記憶されている既存の制御プログラムを更新し、
前記接続手段に外部記憶装置が接続されていないと判断した場合に、前記制御プログラム記憶手段に記憶されている既存の制御プログラムを読み出し、読み出した制御プログラムに従って装置全体の制御を行うことを特徴とするディジタル放送受信機。
【請求項２】
放送局によって符号・圧縮され、送出されるディジタル放送信号を受信する受信手段と、受信手段により受信した放送信号を復号する復号手段と、復号された放送信号を画像表示装置に出力する出力手段と、装置全体を制御する制御プログラムを記憶するための書き換え可能な不揮発性の制御プログラム記憶手段と、電源投入直後に実行される基本プログラムを記憶する不揮発性の基本プログラム記憶手段と、基本プログラム又は制御プログラムに従って装置全体を制御する制御手段とを具備するディジタル放送受信機において、
ＩＤＥコネクタを含み、ＩＤＥケーブルを介して制御プログラムが記憶された外部記憶装置が接続される接続手段をさらに具備し、
前記制御手段は、前記接続手段に外部記憶装置が接続されている場合に、前記外部記憶装置にアクセスして、前記外部記憶装置の所定のアドレスに記憶されている制御プログラムを読み出して、読み出した制御プログラムを前記制御プログラム記憶手段に書き込み、又は前記制御プログラム記憶手段に記憶されている既存の制御プログラムを更新することを特徴とするディジタル放送受信機。
【請求項３】
電源投入直後に、前記接続手段に外部記憶装置が接続されているか否かを判断することを特徴とする請求項２記載のディジタル放送受信機。
【請求項４】
前記制御プログラム記憶手段にすでに制御プログラムが書き込まれている場合に、既存の制御プログラムを消去してその後に新しい制御プログラムを書き込むことを特徴とする請求項２又は請求項３記載のディジタル放送受信機。
【請求項５】
前記接続手段に外部記憶装置が接続されていない場合、前記制御手段は、前記制御プログラム記憶手段に記憶されている制御プログラムを読み出し、読み出した制御プログラムに従って装置全体の制御を行うことを特徴とする請求項２から請求項４のいずれかに記載のディジタル放送受信機。
【発明の詳細な説明】
【０００１】
【発明の属する技術分野】
本発明は、ディジタル放送受信機における制御プログラムの書き込みに関するものである。
【０００２】
【従来の技術】
例えばディジタル放送受信機では、将来の放送サービス内容の変更に伴うディジタル放送受信機自体の制御プログラムの更新や、制御プログラムの不具合（バグ）の修正を容易にするために、制御プログラムを書き換え可能な不揮発性メモリ（例えばフラッシュメモリ）などに書き込んでおき、必要に応じて制御プログラムを書き換えることが考えられている（例えば、特公平５−５６０５２号公報参照）。
【０００３】
例えば特開２００２−１４８３５号公報には、ディジタル機器をネットワークに接続し、サーバからプログラマブル信号を受信し、制御プログラムのアップデートを行う技術が示されている。
【０００４】
また、特開２００１−１０３３３３号公報や特開平１１−２７５６０９号公報には、更新された制御プログラムを放送電波に重畳して送信し、受信機側で、受信した信号の中から制御プログラムを抽出し、自己の制御プログラムを更新する技術が示されている。
【０００５】
【発明が解決しようとする課題】
ネットワークを介して制御プログラムをダウンロードする場合、通信経路は安定しているけれども、通信速度が遅く、例えば数Ｍバイト程度の容量のディジタル放送受信機の制御プログラムをダウンロードするには不向きである。また、通信を行うために、外部にサーバなどのホストコンピュータが必要である。
【０００６】
また、放送電波を介して制御プログラムをダウンロードする場合、通信経路が安定せず、通信エラーなどによって妨害を受ける可能性があり、受信した制御プログラムの信頼性が低い。また、通信速度もさほど速くなく、通信を行うために外部にサーバなどのホストコンピュータが必要であるとともに、放送局などの協力が必要である。そのため、全世界のすべての地域でこのサービスが受けられるわけではない。
【０００７】
また、一時的にしろ、更新前と更新後の２つの制御プログラムを記憶する必要があり、フラッシュメモリなどを２組必要とするため、コストアップの要因となる。さらに、工場での生産工程において、放送電波とは異なる方法、例えばコネクタを介してハードディスク装置に接続するなどして、最初の制御プログラムをフラッシュメモリなどに書き込む必要があり、そのためのコネクタやインタフェースなどが必要である。
【０００８】
さらに、上記以外の方法として、例えば記録媒体からアップデートされた制御プログラムを読み取ることも考えられるが、ディジタル放送受信機などでは本来必要のないＣＤ−ＲＯＭやＤＶＤなどの記録媒体読取装置が必要となり、装置の大型化やコストアップの要因となる。
【０００９】
さらに、工場での生産工程において制御プログラムを書き込む場合、ハードウエアデバッグ用のポートを使用して制御プログラムをフラッシュメモリなどに書き込むことも考えられるが、インサーキット・エミュレータ（ｉｎ−ｃｉｒｃｕｉｔ　ｅｍｕｌａｔｏｒ）などの高価で特別な装置を必要とするとともに、ＣＰＵコアに近いデリケートな部分であるため、外部ノイズの影響を受けやすく、システムを安定して動作させるために、取り扱いに注意を要する。
【００１０】
本発明は、上記従来例の問題点を解決するためになされたものであり、記録媒体読取装置を必要とせず、制御プログラムの書き込み及び更新を容易に行うことが可能なディジタル放送受信機を提供することを目的としている。
【００１１】
【課題を解決するための手段】
上記目的を達成するために、請求項１の発明は、放送局によって符号・圧縮され、送出されるディジタル放送信号を受信する受信手段と、受信手段により受信した放送信号を復号する復号手段と、復号された放送信号を画像表示装置に出力する出力手段と、装置全体を制御する制御プログラムを記憶するための書き換え可能な不揮発性の制御プログラム記憶手段と、電源投入直後に実行される基本プログラムを記憶する不揮発性の基本プログラム記憶手段と、基本プログラム又は制御プログラムに従って装置全体を制御する制御手段とを具備するディジタル放送受信機において、ＩＤＥコネクタを含み、ＩＤＥケーブルを介して制御プログラムが記憶された外部記憶装置が接続される接続手段をさらに具備し、前記制御手段は、電源投入直後に前記基本プログラムに従って、前記接続手段に外部記憶装置が接続されているか否かを、前記ＩＤＥコネクタに含まれる端子のうち外部記憶装置との間の信号の送受信に使用しない端子を利用して検出し、前記接続手段に外部記憶装置が接続されていると判断した場合に、前記外部記憶装置にアクセスして、前記外部記憶装置の所定のアドレスに記憶されている制御プログラムを読み出して、前記制御プログラム記憶手段に書き込み、又は前記制御プログラム記憶手段に記憶されている既存の制御プログラムを更新し、前記接続手段に外部記憶装置が接続されていないと判断した場合に、前記制御プログラム記憶手段に記憶されている既存の制御プログラムを読み出し、読み出した制御プログラムに従って装置全体の制御を行うものである。
【００１２】
この構成によれば、例えば工場における量産工程において、ハードディスク装置などの外部記憶装置に、このディジタル放送受信機の制御プログラムを記憶させておき、ＩＤＥケーブルを介して接続手段のＩＤＥコネクタに外部記憶装置を接続することにより、外部記憶装置に記憶されている制御プログラムが自動的に書き換え可能な不揮発性の制御プログラム記憶手段に書き込まれる。また、既存の制御プログラムをアップデートする場合、サービスエンジニアがユーザのもとにあるディジタル放送受信機又はサービスセンターに持ち込まれたディジタル放送受信機のＩＤＥコネクタに外部記憶装置を接続することにより、外部記憶装置に記憶されている更新された制御プログラムが自動的に制御プログラム記憶手段に書き込まれる。なお、ユーザのもとでは、ＩＤＥコネクタからＩＤＥケーブル及び外部記憶装置が外されているので、制御プログラムが自動的に起動され、ディジタル放送を受信することができる。
【００１３】
ＩＤＥ（Ｉｎｔｅｇｒａｔｅｄ　Ｄｅｖｉｃｅ　Ｅｌｅｃｔｒｏｎｉｃａ）規格は、ＳＣＳＩ（Ｓｍａｌｌ　Ｃｏｍｐｕｔｅｒ　Ｓｙｓｔｅｍ　Ｉｎｔｅｒｆａｃｅ）規格に比べて、接続可能な機器の台数が少なく、信号の転送速度が遅いという欠点もあるが、安価であるとともに専用のＳＣＳＩボードを必要とせず、ディジタル放送受信機の回路基板の構成を簡単にすることができる。また、信号の転送速度に関しても、制御プログラムの書き込み程度であれば、実用上十分な性能を有しているといえる。さらに、ＩＤＥコネクタのすべての端子を外部記憶装置との信号の送受信に使用しているわけではないので、いわゆる空き端子を利用してＩＤＥコネクタに外部記憶装置が接続されたことを自動的に検出することができる。
【００１４】
また、請求項２の発明は、放送局によって符号・圧縮され、送出されるディジタル放送信号を受信する受信手段と、受信手段により受信した放送信号を復号する復号手段と、復号された放送信号を画像表示装置に出力する出力手段と、装置全体を制御する制御プログラムを記憶するための書き換え可能な不揮発性の制御プログラム記憶手段と、電源投入直後に実行される基本プログラムを記憶する不揮発性の基本プログラム記憶手段と、基本プログラム又は制御プログラムに従って装置全体を制御する制御手段とを具備するディジタル放送受信機において、ＩＤＥコネクタを含み、ＩＤＥケーブルを介して制御プログラムが記憶された外部記憶装置が接続される接続手段をさらに具備し、前記制御手段は、前記接続手段に外部記憶装置が接続されている場合に、前記外部記憶装置にアクセスして、前記外部記憶装置の所定のアドレスに記憶されている制御プログラムを読み出して、読み出した制御プログラムを前記制御プログラム記憶手段に書き込み、又は前記制御プログラム記憶手段に記憶されている既存の制御プログラムを更新するものである。
【００１５】
この構成によれば、例えば工場における量産工程において、ハードディスク装置などの外部記憶装置に、このディジタル放送受信機の制御プログラムを記憶させておき、ＩＤＥケーブルを介して接続手段のＩＤＥコネクタに外部記憶装置を接続することにより、外部記憶装置に記憶されている制御プログラムが自動的に書き換え可能な不揮発性の制御プログラム記憶手段に書き込まれる。また、既存の制御プログラムをアップデートする場合、サービスエンジニアがユーザのもとにあるディジタル放送受信機又はサービスセンターに持ち込まれたディジタル放送受信機のＩＤＥコネクタに外部記憶装置を接続することにより、外部記憶装置に記憶されている更新された制御プログラムが自動的に制御プログラム記憶手段に書き込まれる。
【００１６】
また、請求項３の発明は、請求項２の発明において、電源投入直後に、前記接続手段に外部記憶装置が接続されているか否かを判断するものである。
【００１７】
この構成によれば、例えば工場における量産工程において、電源スイッチオフの状態で、ディジタル放送受信機の接続手段のＩＤＥコネクタにＩＤＥケーブルを介して外部記憶装置を接続しておき、電源スイッチをオンするだけで、自動的に外部記憶装置から制御プログラム記憶手段に制御プログラムが書き込まれる。
【００１８】
また、請求項４の発明は、請求項２又は請求項３の発明において、前記制御プログラム記憶手段にすでに制御プログラムが書き込まれている場合に、既存の制御プログラムを消去してその後に新しい制御プログラムを書き込むものである。
【００１９】
この構成によれば、例えばユーザやサービスセンターにおけるメンテナンスの際、電源スイッチオフの状態で、ディジタル放送受信機の接続手段のＩＤＥコネクタにＩＤＥケーブルを介して外部記憶装置を接続しておき、電源スイッチをオンするだけで、自動的に外部記憶装置から制御プログラム記憶手段に更新された制御プログラムが書き込まれ、制御プログラムをアップデートすることができる。
【００２０】
また、請求項５の発明は、請求項２から請求項４のいずれかにおいて、前記接続手段に外部記憶装置が接続されていない場合、前記制御手段は、前記制御プログラム記憶手段に記憶されている制御プログラムを読み出し、読み出した制御プログラムに従って装置全体の制御を行うものである。
【００２１】
この構成によれば、ユーザが装置の電源スイッチをオンすると、制御プログラムが自動的に起動され、ディジタル放送を受信することができる。
【００２２】
【発明の実施の形態】
以下、本発明の位置実施形態によるディジタル放送受信機について、図面を参照しつつ説明する。本実施形態のディジタル放送受信機は、例えば米国向けＡＴＳＣ規格品のように、放送信号に更新された制御プログラムを重畳して送信することができない地域向けの製品に対して特に有効である。
【００２３】
本実施形態によるディジタル放送受信機のブロック構成を図１に示す。ディジタル放送受信機１は、放送局などから送出された放送信号を受信して、受信した放送信号を一時的に格納し、格納した放送信号を再生することによりモニタ装置２に映像を出力する装置である。
【００２４】
図１に示すように、ディジタル放送受信機１は、放送信号を復調して受信するチューナ１１、受信した放送信号を一時的に格納するハードディスク装置などの記録再生装置１２、記録再生装置１２に一時的に格納した放送信号から映像データ、音声データ、その他の付属データを分離して復号するデコーダ１３、復号された映像データ及び音声データをモニタ装置２に出力する映像・音声出力部１４、ユーザが操作するリモコン装置２１からの操作指令を受信するリモコン受信部１５、後述する基本プログラム（ローダプログラム）及び制御プログラム（システムソフト本体）に従ってディジタル放送受信機全体１の機能を制御するためのＣＰＵなどの制御部１６、基本プログラムを記憶したマスクＲＯＭなどの不揮発性メモリで構成された基本プログラム記憶部１７、制御プログラムを記憶するためのフラッシュメモリなどの書き換え可能な不揮発性メモリで構成された制御プログラム記憶部１８、読み出した制御プログラムや制御データなどを一時的に記憶するためのＲＡＭ１９、ＩＤＥコネクタ２０Ａを含み、ＩＤＥケーブル２３を介してハードディスク装置などの外部記憶装置２２が接続される接続部２０などで構成されている。なお、基本プログラム記憶部１７と制御プログラム記憶部１８を同一のフラッシュＲＯＭで構成してもよい。
【００２５】
基本プログラムは、ディジタル放送受信機１の電源を投入した直後に実行されるプログラムであり、本実施形態の場合、以下の２つの機能を有している。第１は、ユーザのもとで電源を投入した場合に実行される「通常の起動」を行う機能であり、制御プログラム記憶部１８に記憶されている制御プログラムを読み出してＲＡＭ１９にロードし、ロードした制御プログラムにしたがって、ディジタル放送を受信し、モニタ装置２に再生する機能である。第２は、工場での量産工程において最初に制御プログラム記憶部１８に制御プログラムを書き込んだり、ユーザのもとにあるディジタル放送受信機やサービスセンターに持ち込まれたディジタル放送受信機の制御プログラムをアップデートするための「制御プログラム書き込み機能」である。
【００２６】
制御プログラムは、放送チャンネルの選択、タイマーの設定などの基本機能のほか、双方向通信機能などの拡張機能を実行するプログラムであり、ディジタル放送のサービス内容の変更や拡充に伴って、随時更新することが望まれている。
【００２７】
外部記憶装置２２は、例えば工場の量産ラインやサービスセンターなどに用意されているハードディスク装置であって、所定のアドレスに最新の制御プログラムが記憶されている。特に、外部記憶装置２２は、ＩＤＥインタフェースを備えたものであって、ＩＤＥケーブル２３を介して接続部２０のＩＤＥコネクタ２０Ａに接続される。
【００２８】
周知のように、ＩＤＥは元々パーソナルコンピュータの内蔵ハードディスク装置で使用されるインタフェースであり、ＩＤＥコネクタは一般的にマザーボードなどの回路基板に直接設けられている。本実施形態においても、ユーザがディジタル放送を受信するために使用する通常の状態では、外部記憶装置２２はディジタル放送受信機１には接続しない。そのため、一例として、接続部２０のＩＤＥコネクタ２０Ａをディジタル放送受信機１の回路基板（図示せず）上に設けておき、ディジタル放送受信機１のカバーを外した状態でＩＤＥケーブル２３をＩＤＥコネクタ２０Ａに接続すればよい。
【００２９】
また、ＩＤＥコネクタには多数の端子が設けられているが、すべての端子を信号の送受信に使用しているわけではなく、いわゆる空き端子が存在している。本実施形態では、接続部２０のＩＤＥコネクタ２０Ａの空き端子のうち特定の端子を利用して、ＩＤＥコネクタ２０ＡにＩＤＥケーブル２３が接続されているか否か、又はＩＤＥケーブル２３を介して外部記憶装置２２にアクセス可能か否かを判断する。例えば、ＩＤＥケーブル２３を接続すると、接続部２０のＩＤＥコネクタ２０Ａの特定の端子の電圧が所定の閾値よりも低くなるように設定しておき、電源投入直後に、制御部１６に特定の端子の電圧を検査させるように基本プログラムを設定しておけばよい。
【００３０】
外部記憶装置２２に接続されたＩＤＥケーブル２３を、さらに接続部２０のＩＤＥコネクタ２０Ａに接続すると、制御部１６から見れば、外部記憶装置２２は実質的に内蔵ハードディスク装置と等価となる。従って、電源投入直後に実行される基本プログラムにおいて、制御部１６に外部記憶装置２２をアクセスさせ、所定のアドレスに記憶されている制御プログラムを読み出し、制御プログラム記憶部１８に書き込ませるようにプログラムしておけば、外部記憶装置２２から制御プログラム記憶部１８に制御プログラムが自動的に書き込まれる。
【００３１】
なお、ＩＤＥコネクタ及びＩＤＥケーブルは、元々内蔵ハードディスク装置とマザーボードなどとを接続するためのものであって、頻繁に着脱するようには設計されていない。しかしながら、制御プログラムの書き込みやアップデートは頻繁に行うものではなく、また作業も熟練したエンジニアが行う。従って、外部記憶装置２２とディジタル放送受信機１の接続部２０の接続のためにＩＤＥコネクタ２０Ａ及びＩＤＥケーブル２３を用いても特に問題は生じない。
【００３２】
また、ＩＤＥインタフェースは、ＳＣＳＩインタフェースに比べて、接続可能な機器の台数が少なく、またデータの転送速度が遅いが、元々制御プログラムのアップデートの場合は、特定のディジタル放送受信機を対象としているため、接続可能な機器の台数の少なさやデータ転送速度の遅さは、ほとんど問題にならない。また、工場における量産時の制御プログラムの書き込みの場合、接続可能な機器の台数の少なさに関しては、外部記憶装置２２を必要数だけ揃えておけばよい。また、データ転送速度の遅さに関しては、制御プログラムの要領が数Ｍバイト程度であるため、さほど問題とはならない。それよりも、ＳＣＳＩインタフェースを採用した場合と比較して、専用のＳＣＳＩボードなどが不要であり、回路構成が簡単になるとともに、コストが安くなるというメリットがある。
【００３３】
次に、本実施形態によるディジタル放送受信機１の電源投入直後における動作について、図２に示すフローチャートを参照しつつ説明する。
【００３４】
ディジタル放送受信機１の電源スイッチをオンすると、制御部１６は基本プログラム記憶部１７にアクセスし、基本プログラム記憶部１７に記憶されている基本プログラムを読み出し（＃１）、以降基本プログラムに従ってディジタル放送受信機１の全体の制御を行う。基本プログラムが立ち上がると、制御部１６は、接続部２０のＩＤＥコネクタ２０Ａの端子のうち特定の空き端子の電圧を検査する（＃２）。前述のように、ＩＤＥケーブル２３を接続すると接続部２０のＩＤＥコネクタ２０Ａの特定の空き端子の電圧が所定の閾値よりも低くなるように設定してあるので、制御部１６は、特定の空き端子の電圧が所定の閾値よりも低いか否かにより、外部記憶装置２２が接続部２０に接続されているか否かを判断することができる（＃３）。
【００３５】
ステップ＃３において外部記憶装置２２が接続部２０に接続されていないと判断した場合、制御部１６は、制御プログラム記憶部１８に記憶されている制御プログラムを読み出し（＃４）、読み出した制御プログラムをＲＡＭ１９に書き込み、制御プログラムを起動、すなわち、制御プログラムに従ってディジタル放送受信機１の全体を制御する（＃５）。これにより、通常のディジタル放送の受信が可能となる。
【００３６】
一方、ステップ＃３において外部記憶装置２２が接続部２０に接続されていると判断した場合、工場の量産工程における新規な制御プログラムの書き込みか、あるいはサービスセンターなどにおける制御プログラムのアップデートであるので、制御部１６は、基本プログラムに従って外部記憶装置２２をアクセスし（＃６）、外部記憶装置２２の所定のアドレスに記憶されている制御プログラムを読み出す（＃７）。次に、制御部１６は、読み出した制御プログラムをＲＡＭ１９に一旦保存した後、あるいは直接制御プログラム記憶部１８に書き込む（＃８）。
【００３７】
さらに、制御部１６は、例えば外部記憶装置２２から読み出した制御プログラムと制御プログラム記憶部１８に書き込まれた制御プログラムとを比較するなどして、制御プログラムが正しく書き込まれたか否かを検査する（＃９）。正しく書き込まれている場合、動作テストのために、制御プログラム記憶部１８に書き込まれた新しい制御プログラムを読み出し、起動する（＃１０）。そして、新しい制御プログラムに従ってディジタル放送受信機１が正常に機能しているか否かの検査が行われる。
【００３８】
なお、制御プログラムのアップデートの場合、制御プログラム記憶部１８に、既に更新前の制御プログラムが記憶されているので、ステップ＃８において、読み出した新しい制御プログラムをＲＡＭ１９に一旦保存した後、制御プログラム記憶部１８に書き込まれている更新前の制御プログラムを消去し、その後に新しい制御プログラムを書き込むように構成してもよい。あるいは、更新前の制御プログラムと新しい制御プログラムとを比較して、変更されている部分のみを更新するように構成してもよい。
【００３９】
なお、上記実施形態では、放送電波を介して制御プログラムを更新するサービスが行われていない地域向けに出荷される製品であって、ディジタル放送受信機自体に記録媒体読取装置が設けられていないものを前提として説明したが、本発明はこれに限定されるものではなく、放送電波を介して制御プログラムを更新するサービスが行われている地域向けに出荷される製品や、ディジタル放送受信機自体に記録媒体読取装置が設けられている製品にも適用することができる。すなわち、これらの製品であっても、工場の量産工程においてフラッシュメモリなどに制御プログラムを書き込むことが行われているが、その場合にも本発明が有効である。
【００４０】
【発明の効果】
以上のように、請求項１記載の発明によれば、例えば工場における量産工程において、ＩＤＥケーブルを介して接続手段のＩＤＥコネクタに外部記憶装置を接続することにより、外部記憶装置に記憶されている制御プログラムを自動的に書き換え可能な不揮発性の制御プログラム記憶手段に書き込むことができる。また、既存の制御プログラムをアップデートする場合、サービスエンジニアがディジタル放送受信機のＩＤＥコネクタに外部記憶装置を接続することにより、外部記憶装置に記憶されている更新された制御プログラムを自動的に制御プログラム記憶手段に書き込むことができる。その結果、放送電波を介して制御プログラムを更新するサービスが行われていない地域であっても、ディジタル放送受信機自体に記録媒体読取装置を設けることなく、制御プログラムをアップデートすることが可能となる。また、ユーザのもとでは、ＩＤＥコネクタからＩＤＥケーブル及び外部記憶装置が外されているので、制御プログラムが自動的に起動され、通常のディジタル放送を受信することができる。
【００４１】
また、請求項２の発明によれば、例えば工場における量産工程において、ＩＤＥケーブルを介して接続手段のＩＤＥコネクタに外部記憶装置を接続することにより、外部記憶装置に記憶されている制御プログラムを自動的に書き換え可能な不揮発性の制御プログラム記憶手段に書き込むことができる。また、既存の制御プログラムをアップデートする場合、サービスエンジニアがディジタル放送受信機のＩＤＥコネクタに外部記憶装置を接続することにより、外部記憶装置に記憶されている更新された制御プログラムを自動的に制御プログラム記憶手段に書き込むことができる。
【００４２】
また、請求項３の発明によれば、例えば工場における量産工程において、電源スイッチオフの状態で、ディジタル放送受信機の接続手段のＩＤＥコネクタにＩＤＥケーブルを介して外部記憶装置を接続しておき、電源スイッチをオンするだけで、自動的に外部記憶装置から制御プログラム記憶手段に制御プログラムを書き込むことができる。
【００４３】
また、請求項４の発明によれば、例えばユーザやサービスセンターにおけるメンテナンスの際、電源スイッチオフの状態で、ディジタル放送受信機の接続手段のＩＤＥコネクタにＩＤＥケーブルを介して外部記憶装置を接続しておき、電源スイッチをオンするだけで、自動的に外部記憶装置から制御プログラム記憶手段に更新された制御プログラムが書き込まれ、制御プログラムをアップデートすることができる。
【００４４】
また、請求項５の発明によれば、ユーザが装置の電源スイッチをオンすると、制御プログラムが自動的に起動され、ディジタル放送を受信することができる。
【図面の簡単な説明】
【図１】本発明の一実施形態によるディジタル放送受信機のブロック構成図。
【図２】上記一実施形態によるディジタル放送受信機の電源投入直後における動作を示すフローチャート。
【符号の説明】
１　ディジタル放送受信機
１１　チューナ（受信手段）
１２　記録再生装置
１３　デコーダ（復号手段）
１４　映像・音声出力部（出力手段）
１５　リモコン受信部
１６　制御部（制御手段）
１７　基本プログラム記憶部（基本プログラム記憶部）
１８　制御プログラム記憶部（制御プログラム記憶部）
１９　ＲＡＭ
２０　接続部（接続手段）
２０Ａ　ＩＤＥコネクタ
２１　リモコン装置
２２　外部記憶装置
【図１】
2004088511.tif 000003
【図２】
2004088511.tif 000004